(57)【特許請求の範囲】
【請求項１】
電子メールを受信可能であり、識別部を有するメールアドレスが設定される通信装置において、
メールアドレスの識別部が数字のみから成るかを判断する数字アドレス判断手段と、
前記数字アドレス判断手段により、初期設定されているメールアドレスの識別部が数字のみから成ると判断された際に、メールアドレスの変更を促すアドレス変更指示手段とを備えることを特徴とする通信装置。
【請求項２】
前記アドレス変更指示手段は、変更されたメールアドレスの識別部が、前記数字アドレス判断手段により数字のみから成ると判断された際に、メールアドレスの変更を促すことを特徴とする請求項１の通信装置。
【請求項３】
変更されたメールアドレスの識別部がアルファベットのみから成るかを判断するアルファベットアドレス判断手段と、
前記アルファベットアドレス判断手段によりアルファベットのみから成ると判断された際に、メールアドレスの変更を促す第２アドレス変更指示手段とを更に備えることを特徴とする請求項１又は請求項２の通信装置。
【請求項４】
非推奨アドレスを保持する保持手段と、
変更されたメールアドレスの識別部が前記非推奨アドレスを含むかを判断する非推奨アドレス判断手段と、
前記非推奨アドレス判断手段により非推奨アドレスを含むと判断された際に、メールアドレスの変更を促す第３アドレス変更指示手段とを更に備えることを特徴とする請求項１〜３のいずれか１項に記載の通信装置。
【請求項５】
請求項１〜４のいずれか１項に記載の通信装置における前記各手段としてコンピュータシステムを機能させるためのプログラム。
【発明の詳細な説明】
【０００１】
【発明の属する技術分野】
本発明は通信装置、プログラム、記録媒体に係り、詳しくは、電子メール機能を有する携帯電話機、電話機やファクシミリなどの通信装置と、その通信装置を実現するようにコンピュータシステムを機能させるためのプログラム、そのプログラムが記録されたコンピュータで読み取り可能な記録媒体に関するものである。
【０００２】
【従来の技術】
近年、ＮＴＴより「Ｌモード」と呼ばれる情報サービスが提供されている。このＬモードは、Ｌモード対応の通信機器（電話機やファクシミリなど）から、メニュー操作により、電話感覚で文字や簡易な画像を中心とした情報検索や電子メールの送受信などが利用できるサービスである。尚、Ｌモードにおける情報検索や電子メールの送受信は、ＮＴＴが設置しているＬモードゲートウェイを経由して行われる。
【０００３】
Ｌモードの通信機器では、使用者がメールアドレスを設定することなく電子メールを送受できるように、初期設定で利用者の電話番号□□□□□□□□□□＋Ｌモードの識別子（@pipopa.ne.jp）、たとえば、電話番号が０３１２３４５６７８の家庭で使われる機器には、予め、０３１２３４５６７８@pipopa.ne.jpの電子メールアドレスが設定されて出荷される。
【０００４】
【発明が解決しようとする課題】
しかしながら、初期設定されているメールアドレスの特徴部分が、１０桁前後の数字のみからなるため迷惑メールが配信され易いといういう問題がある。即ち、例えば１０桁の場合、１０桁の数字の組み合わせで、且つ、最初の２桁〜５桁は、０３、０５６１７等の市街番号であるため、残りの８桁〜５桁の組み合わせは、１０の８乗（０〜９までの１０種類の数字の８桁分）〜１０の５乗（１０種類の数字の５桁分）しかなく、コンピュータを用いて全ての組み合わせのメールアドレスを容易に作り出せる。このため、第３者が、全ての組み合わせのメールアドレスへ広告等の電子メールを送り出すことができ、これを配信されたＬモード通信機器の利用者は、不快であるだけではなく、電子メールの利用料を負担しなければならないという実害もある。係る課題は、Ｉモードなどの携帯電話においても、電話番号をメールアドレスとして初期設定してあるため、同様に発生している。
【０００５】
本発明は上記問題点を解決するためになされたものであって、以下の目的を有するものである。
(1)迷惑メールの配信を防止できる通信装置を提供する。
(2)上記(1)の通信装置を実現するようにコンピュータシステムを機能させるためのプログラムを提供する。
(3)上記(1)の通信装置を実現するようにコンピュータシステムを機能させるためのプログラムが記録されたコンピュータで読み取り可能な記録媒体を提供する。
【０００６】
【課題を解決するための手段および発明の効果】
係る目的を達成するためになされた請求項１に記載の通信装置は、電子メールを受信可能であり、識別部を有するメールアドレスが設定される通信装置であって、メールアドレスの識別部が数字のみから成るかを判断する数字アドレス判断手段と、数字アドレス判断手段により、初期設定されているメールアドレスの識別部が数字のみから成ると判断された際に、メールアドレスの変更を促すアドレス変更指示手段とを備えることを技術的特徴とする。
【０００７】
請求項１に記載の通信装置によれば、メールアドレス□□□□□□□□□□@pipopa.ne.jpの内の識別部□□□□□□□□□□の初期設定が電話番号のような数字のみから成るかを判断し、数字のみから成ると判断した際に、メールアドレスの変更を促す。このため、使用者は初期設定されているメールアドレスの識別部を早急にアルファベット等を使用したものに変更することができ、迷惑メールの配信を防止することができるようになる。
【０００８】
請求項２に記載の通信装置は、アドレス変更指示手段は、変更されたメールアドレスの識別部が、数字アドレス判断手段により数字のみから成ると判断された際に、メールアドレスの変更を促すことを技術的特徴とする。
請求項２では、変更されたメールアドレスの識別部が数字のみから成るかを判断し、数字のみから成ると判断した際に、メールアドレスの変更を促す。このため、使用者が識別部をアルファベット等を使用したものに変更することで、迷惑メールの配信を防止することができるようになる。
【０００９】
請求項３に記載の通信装置は、変更されたメールアドレスの識別部がアルファベットのみから成るかを判断するアルファベットアドレス判断手段と、前記アルファベットアドレス判断手段によりアルファベットのみから成ると判断された際に、メールアドレスの変更を促す第２アドレス変更指示手段とを更に備えることを技術的特徴とする。
【００１０】
請求項３では、変更されたメールアドレスの識別部がアルファベットのみから成るかを判断し、アルファベットのみから成ると判断された際に、メールアドレスの変更を促す。即ち、メールアドレスが変更されても、メールアドレス□□□□□□□□□□@pipopa.ne.jpの内の識別部□□□□□□□□□□がアルファベットのみから成る場合には、組み合わせは、２６×２（Ａ〜Ｚ及びａ〜ｚのアルファベット数）の１０乗であって、迷惑メールの配信を完全には防ぎきれない。このため、アルファベットのみから成ると判断された際に、メールアドレスの変更を促し、アドレスに数字、更に−、．（ドット）、＿等の記号を混ぜさせることで、迷惑メールの配信を完全に防止できる。
【００１１】
請求項４に記載の通信装置は、非推奨アドレスを保持する保持手段と、変更されたメールアドレスの識別部が前記非推奨アドレスを含むかを判断する非推奨アドレス判断手段と、前記非推奨アドレス判断手段により非推奨アドレスを含むと判断された際に、メールアドレスの変更を促す第３アドレス変更指示手段とを更に備えることを技術的特徴とする。
【００１２】
請求項４では、女性の名前、著名人の名前、ありふれた氏名等の容易に思い付き得るアドレスを非推奨アドレスとして予め保持しておく。そして、変更されたメールアドレスの識別部が保持された非推奨アドレスを含むかを判断し、非推奨アドレスを含むと判断された際に、メールアドレスの変更を促す。女性の名前、著名人の名前、ありふれた氏名等から成るアドレスを避けることで、迷惑メールの配信を完全に防止できる。
【００１３】
次に、請求項５に記載のプログラムは、請求項１〜４のいずれか１項に記載の通信装置における前記各手段としてコンピュータシステムを機能させるためのプログラムを提供するものである。つまり、請求項１〜４のいずれか１項に記載の通信装置における前記各手段を実現するための機能は、コンピュータシステムで実行されるプログラムとして備えることができる。このようなプログラムの場合、例えば、ＲＯＭやバックアップＲＡＭをコンピュータで読み取り可能な記録媒体として前記プログラムを記録しておき、このＲＯＭあるいはバックアップＲＡＭをコンピュータシステムに組み込んで用いることができる。
この他、半導体メモリ（スマートメディア，メモリスティックなど），ハードディスク，フロッピーディスク，データカード（ＩＣカード，磁気カードなど），光ディスク（ＣＤ−ＲＯＭ，ＣＤ−Ｒ，ＣＤ−ＲＷ，ＤＶＤなど），光磁気ディスク（ＭＯなど），相変化ディスク，磁気テープなどのコンピュータで読み取り可能な記録媒体に前記プログラムを記録しておき、そのプログラムを必要に応じてコンピュータシステムにロードして起動することにより用いてもよい。
【００１４】
【発明の実施の形態】
［第１実施形態］以下、本発明に係る第１実施形態について図面を参照して説明する。図１は、ＮＴＴが提供するＬモードにおける通信システム１０の概略構成を示すブロック図である。Ｌモードにおける通信システム１０は、Ｌモード対応の各種通信機器１１、インターネット網１２、インターネット網１２に接続された各種通信機器１３、情報提供者の通信機器１４、公衆電話回線１５、Ｌモードゲートウェイ１６などから構成されている。
【００１５】
Ｌモード対応の各種通信機器１１には、例えば、Ｌモード対応の電話機やファクシミリ、ＩＣカード公衆電話機などがある。ＷＷＷサーバ（図示略）を介してインターネット網１２に接続された各種通信機器１３には、例えば、パーソナルコンピュータや携帯電話機などがある。通信機器１４を用いて各種情報（日々の生活に役立つ情報、地域に密着した情報）を提供する情報提供者（例えば、天気予報提供者（日本気象協会など）、銀行、証券会社、新聞社、販売店など）は、ＮＴＴが提供するＬメニューリストに登録されている。
【００１６】
各通信機器１１，１３，１４およびインターネット網１２は、公衆電話回線１５を介して、ＮＴＴが設置しているＬモードゲートウェイ１６に接続されている。そして、Ｌモード対応の各種通信機器１１は、第１経路（公衆電話回線１５→Ｌモードゲートウェイ１６→公衆電話回線１５）または第２経路（公衆電話回線１５→インターネット網１２→Ｌモードゲートウェイ１６→公衆電話回線１５）を通じて情報提供者の通信機器１４と各種情報および電子メールを送受信することができる。また、Ｌモード対応の各種通信機器１１は、インターネット網１２に接続された各種通信機器１３と前記第２経路を通じて各種情報および電子メールを送受信することができる。尚、Ｌモードゲートウェイ１６は、実際には、ＮＴＴ西日本とＮＴＴ東日本にそれぞれ１つずつ設けられて互いに接続されている。
【００１７】
図２は、Ｌモード対応の各種通信機器１１の一例であるＬモード対応ファクシミリの本体２０の外観を示す平面図である。Ｌモード対応ファクシミリの本体２０には、表示器２１および多数のボタン（キー）類２２が配設されており、ハンドセット（図示略）が接続されると共に、本体２０を親機とするコードレスホンの子機（図示略）が別体に設けられている。表示器２１は、例えば、液晶ディスプレイやプラズマディスプレイなどから構成されている。表示器２１には、Ｌモードゲートウェイ１６と本体２０との回線が接続中であることを示すピクトグラム、回線接続が切断されたことを示すメッセージ文（例えば「切断されました」など）、予め設定された待ち受け画面などが表示される。
【００１８】
ボタン類２２を構成する各ボタンには、ダイヤルボタンを構成するテンキー、各種操作（例えば、留守番電話の設定・解除、スピーカー再生、保留または子機への切替など）を行うための各種機能ボタン、電子メールに関する操作を行う際に用いられるＥメールボタン２２ａ、Ｌモードに関する操作を行う際に用いられるＬボタン２２ｂ、表示器２１に表示されるカーソル（図示略）を上下左右に移動させるカーソル移動ボタン（スクロールボタン）２２ｃなどがある。
【００１９】
図３は、Ｌモード対応ファクシミリの本体２０の電気的構成を示すブロック回路図である。Ｌモード対応ファクシミリの本体２０には、表示器２１、ボタン類２２、パネルＧＡ（Gate Array）４１、モータ４２、サーマルヘッド４３、スキャナ４４、センサ類４５、ＡＦＥ（Analog Front End）４６、メロディＩＣ（Integrated Circuit）４７、スピーカ４８、ＲＴＣ（Real Time Clock）４９、ＲＯＭ５０、ＲＡＭ５１、ＥＥＰＲＯＭ５２、子機用高周波（ＲＦ：Radio Frequency）ユニット５３、クロスポイントスイッチ５４、ハンドセット５５、ＮＣＵ５６、ＣＰＵ５７、記録回路５８、読取回路５９、ＦＡＸ・データモデム６０などが備えられている。
【００２０】
ＣＰＵ５７は、親機としての本体２０および子機（図示略）を含めたＬモード対応ファクシミリ全体の動作を制御する。ＣＰＵ５７には、記録回路５８、読取回路５９、パネルＧＡ４１、ＦＡＸ・データモデム６０、ＡＦＥ４６、ＲＴＣ４９、ＲＯＭ５０、ＲＡＭ５１、ＥＥＰＲＯＭ５２、子機用ＲＦユニット５３が接続されている。尚、ＣＰＵ５７，記録回路５８，読取回路５９，パネルＧＡ４１，ＦＡＸ・データモデム６０は１チップＩＣ６１によって構成され、その１チップＩＣ６１は１チップＦＡＸエンジンと呼ばれる。
【００２１】
記録回路５８は、ＣＰＵ５７の制御処理に従い、プリンタを構成するモータ４２およびサーマルヘッド４３の動作を制御する。モータ４２は、Ｌモード対応ファクシミリの本体２０に印刷用紙を供給排出するために移動させる。サーマルヘッド４３は、感熱紙からなる印刷用紙に印刷を行う。尚、サーマルヘッド４３に代えて、インクジェットヘッドであっても良いしレーザーエンジンを使用しても良い。読取回路５９は、ＣＰＵ５７の制御に従い、スキャナ４４の動作を制御する。スキャナ４４は、原稿に印刷されている文字や画像を読み取り、その文字や画像のデータを読取回路５９へ出力する。センサ類４５は、印刷用紙がセットされていることを検出する印刷用紙検出センサ、ハンドセット５５がセットされていることを検出するハンドセット検出センサなど、本体２０に備えられた各種センサから構成されている。パネルＧＡ４１は、ボタン類２２および表示器２１とＣＰＵ５７との間でデータ信号の仲介を行うためのインタフェースとして機能する。
【００２２】
ＦＡＸ・データモデム６０は、ファクシミリの送受信データの変復調を行うと共に、Ｌモードにおける各種情報および電子メールの送受信データの変復調を行う。ＡＦＥ４６は、メロディＩＣ４７およびクロスポイントスイッチ５４とＣＰＵ５７およびＦＡＸ・データモデム６０との間でデータ信号のサンプリングおよび変換を行う。メロディＩＣ４７は、ＣＰＵ５７の制御処理に従い、電話の着信音メロディを生成し、スピーカ４８を駆動して当該着信音メロディを発音させる。
【００２３】
ＲＴＣ４９は、現在の時刻および年月日を計測し、それらのデータをＣＰＵ５７へ出力する。ＲＯＭ５０は、ＣＰＵ５７が各種制御を実行するための各種制御プログラム及び非推奨アドレスを記憶している。ここで、非推奨アドレスとは、第３者が容易に思い付くような電子メールアドレスで、NAOMI,YUMIKO等の典型的な女性の名前やJIMI.HEN等の著名人の氏名、略称、SUZUKITARO等の電話帳で多く見受けられる氏名等からなるデータである。ＲＡＭ５１は、ＣＰＵ５７の作業領域や各種データの展開領域を提供する。ＥＥＰＲＯＭ５２は、電話やファクシミリの送信先の電話番号、電子メールの送信先やインターネット網１２に接続された各種通信機器１３，１４のＵＲＬ（Uniform Resource Locator）などを記憶している。
【００２４】
子機用ＲＦユニット５３は、コードレスホンの子機（図示略）と親機である本体２０とを無線回線を通じて接続するために、ＣＰＵ５７と子機との間でデータ信号を無線で送受信する。クロスポイントスイッチ５４は、子機用ＲＦユニット５３、ＮＣＵ５６、電話の送受話器からなるハンドセット５５、ＡＦＥ４６のそれぞれの間で転送されるデータ信号を切り替えて仲介する。ＮＣＵ５６は、公衆電話回線１５に接続されて網制御を行い、公衆電話回線１５に対するダイヤル信号を送り出すと共に、公衆電話回線１５からの呼出信号に対する応答などを行う。
【００２５】
［ＣＰＵ５７が実行する主な制御処理］図４、図５は、第１実施形態においてＣＰＵ５７が実行する主な制御処理の流れを示すフローチャートである。ＣＰＵ５７は、ＲＯＭ５０に記録（記憶）されているプログラムに従い、コンピュータによる各種演算処理によって、以下の各ステップ（以下、「Ｓ」と記載する）の処理を実行する。尚、前記プログラムをコンピュータで読み取り可能な記録媒体（半導体メモリ（メモリスティックなど）、ハードディスク、フロッピーディスク、データカード（ＩＣカード，磁気カードなど）、光ディスク（ＣＤ−ＲＯＭ，ＣＤ−Ｒ，ＣＤ−ＲＷ，ＤＶＤなど）、光磁気ディスク（ＭＯなど）、相変化ディスク、磁気テープなど）を備えた外部記録装置（外部記憶装置）に記録（記憶）しておき、当該プログラムを必要に応じて外部記録装置からＣＰＵ５７にロードして起動することにより用いるようにしてもよい。
【００２６】
[メールアドレスの変更指示処理]  第１実施形態のファクシミリでは、使用者がメールアドレスを設定することなく電子メールを送受できるように、初期設定で利用者の電話番号□□□□□□□□□□（１０桁前後）＋Ｌモードの識別子（@pipopa.ne.jp）、たとえば、電話番号が０３１２３４５６７８の家庭で使われる機器には、予め、０３１２３４５６７８@pipopa.ne.jpの電子メールアドレスが設定されている。このため、使用者がファクシミリを設置する際あるいは電源投入時に、早急にメールアドレスを数字以外にするよう変更を促す。
【００２７】
ＣＰＵ５７は、まず、予め設定された周期、例えば、１日を経過したか否かを判断する（Ｓ１２）。そして、所定周期の経過で（Ｓ１２：Ｙｅｓ）、メモリ（ＥＥＰＲＯＭ）５０に保持されているメールアドレスを取得し（Ｓ１４）、メールアドレスの@よりも左の部分（識別部）の文字列を抽出する。
【００２８】
ＣＰＵ５７は、メールアドレスの識別部が全て数字からなるか否かを判断する（Ｓ１８）。ここで、識別部に数字以外のアルファベット等が含まれる場合には（Ｓ１８：Ｎｏ）、使用者により既にメールアドレスが変更されているため処理を終了する。
【００２９】
一方、識別部が全て数字からなる場合には（Ｓ１８：Ｙｅｓ）、図６（Ａ）に示すように表示部２１に”迷惑メール配信防止の為、メールアドレスを変更してください”との警告を表示する（Ｓ２０）。なお、この際に、併せて音声によってメールアドレスの変更を促してもよい。そして、キー操作があるかを判断し（Ｓ２２）、キー操作があると（Ｓ２２：Ｙｅｓ）、警告表示を中断して当該キー操作に対応した処理へ移行する。尚、ファクシミリの設置時（電源投入時）にだけ変更を促す処理を行うようにしても良い。
【００３０】
第１実施形態のファクシミリによれば、メールアドレス□□□□□□□□□□@pipopa.ne.jpの内の識別部□□□□□□□□□□（１０桁前後）が数字のみから成るか、即ち、初期設定のまま変更されていないかを判断し、数字のみから成り初期設定のままであると判断された際に、メールアドレスの変更を促す。このため、使用者が識別部をアルファベット等へ変更することで、迷惑メールの配信を防止することができるようになる。
【００３１】
[メールアドレスの変更処理]第１実施形態のファクシミリでは、メールアドレスが変更される際にも、迷惑メールが配信される可能性があるアルファベットのみからなるアドレス、上記ＲＯＭ５０に保持されている非推奨アドレス（典型的な女性の名前、著名人の氏名、略称、電話帳で多く見受けられる氏名）を避けるように指示を行う。
【００３２】
ＣＰＵ５７は、メールアドレスの変更を開始するための図６（Ｂ）に示すマイアドレス設定の機能選択メニューを表示している際に（Ｓ５２）、カーソル移動ボタン（スクロールボタン）２２ｃの操作により”登録／変更”が反転表示された状態で、Ｌモード操作を行うＬボタン２２ｂが押されると、アドレス変更が選択されたものとして（Ｓ５４：Ｙｅｓ）、メールアドレスの変更処理を開始する。
【００３３】
ＣＰＵ５７は、先ず、メモリ（ＥＥＰＲＯＭ）５０に保持されているメールアドレスを初期化し（Ｓ５６）、キー入力に待機する（Ｓ５８）。キー入力があると（Ｓ５８：Ｙｅｓ）、キー入力は数字、アルファベット等の有効コードであるか否かを判断し（Ｓ６０）、「♯」等のメールアドレスに用い得ない入力（有効コード）でない場合には（Ｓ６０：Ｎｏ）、キー入力受付拒否音を成らし（Ｓ６４）、Ｓ５８に戻りキー入力に待機する。一方、有効な入力がなされた場合には（Ｓ６０：Ｙｅｓ）、キー入力が、入力完了コードかを判断する（Ｓ６２）。入力完了コードが入力されるまでは（Ｓ６２：Ｎｏ）、入力されたコードをメモリに書き込む（Ｓ６６）。そして、最大サイズの桁数（例えば１０桁）まで入力されているかを判断し（Ｓ６８）、最大サイズの桁入力がなされるまで（Ｓ６８：Ｎｏ）、Ｓ５８に戻り次のキー入力に待機する。尚、最大サイズの桁数は携帯電話のように１１桁であっても良い。
【００３４】
ここで、最大サイズの桁数まで入力されたか（Ｓ６８：Ｙｅｓ）、又は、最大サイズの桁数の入力以前に入力完了コードが入力されたときには（Ｓ６２：Ｙｅｓ）、入力されたメールアドレスの@よりも左の部分（識別部）の文字列を抽出する（Ｓ７０）。そして、識別部が全て数字からなるか否かを判断し（Ｓ７２）、数字のみからなる場合には（Ｓ７２：Ｙｅｓ）、図６（Ｃ）に示すように表示部２１に”この入力されたアドレスは推奨できません、取り扱い説明書をよく読んで再入力願います”との再入力警告を表示する（Ｓ７８）。なお、この際に、併せて音声によってメールアドレスの再入力を促してもよい。そして、キー操作があるか否かを判断し（Ｓ８０）、キー操作があると（Ｓ８０：Ｙｅｓ）、一旦、メールアドレスの変更を中断し、アドレスを変更前に戻して（Ｓ８４）、処理を終了する。
【００３５】
一方、入力されたメールアドレスの識別部に数字以外が含まれる場合には（Ｓ７２：Ｎｏ）、次に、メールアドレスの識別部が全てアルファベットからなるか否かを判断する（Ｓ７４）。ここで、全てアルファベットから成る場合には（Ｓ７４：Ｙｅｓ）、Ｓ７８へ移行し、上述したように再入力警告を行う。
【００３６】
第１実施形態では、変更されたメールアドレスの識別部がアルファベットのみから成るかを判断し、アルファベットのみから成ると判断された際に、メールアドレスの変更を促す。即ち、メールアドレスが変更されても、メールアドレス□□□□□□□□□□@pipopa.ne.jpの内の識別部□□□□□□□□□□がアルファベットのみから成る場合には、組み合わせは、２６×２（Ａ〜Ｚ及びａ〜ｚのアルファベット数）の１０乗であって、迷惑メールの配信を完全には防ぎきれない。このため、アルファベットのみから成ると判断された際に、メールアドレスの変更を促し、アドレスに数字、更に−、．（ドット）、＿等の記号を混ぜさせることで、迷惑メールの配信を完全に防止できる。
【００３７】
入力されたメールアドレスの識別部にアルファベット以外が含まれる場合には（Ｓ７４：Ｎｏ）、次に、メールアドレスの識別部に上記ＲＯＭ５０に保持されている非推奨アドレス（典型的な女性の名前、著名人の氏名、略称、電話帳で多く見受けられる氏名）が含まれているか否かを判断する（Ｓ７６）。ここで、非推奨アドレスを含むる場合には（Ｓ７６：Ｙｅｓ）、Ｓ７８へ移行し、上述したように再入力警告を行う。一方、非推奨アドレスを含まない場合には（Ｓ７６：Ｎｏ）、変更処理を終了し、当該メールアドレスへの変更処理（Ｓ８２）を開始する。
【００３８】
第１実施形態では、女性の名前、著名人の名前、ありふれた氏名等の容易に思い付き得るアドレスを非推奨アドレスとして予め保持しておく。そして、変更されたメールアドレスの識別部が保持された非推奨アドレスを含むかを判断し、非推奨アドレスを含むと判断された際に、メールアドレスの変更を促す。女性の名前、著名人の名前、ありふれた氏名等から成るアドレスを避けることで、迷惑メールの配信を完全に防止できる。
【００３９】
なお、上述した実施形態では、非推奨アドレスをＲＯＭ５０に保持したが、これと共に、Ｌモードの制御情報を公衆回線１５を介してゲートウェイ１６側から更新する際に、併せて、非推奨アドレスを配信し、ファクシミリ側でＥＥＰＲＯＭ５２で保持して、配信された非推奨アドレスのメールアドレスとしての使用を避けるようにしてもよい。
【００４０】
[第２実施形態]上述した第１実施形態では、本発明の構成をＬモード対応ファクシミリに適用した例を挙げた。これに対して、第２実施形態では、本発明の構成をＩモード対応携帯電話機に適用している。
【００４１】
図７は、第２実施形態の携帯電話機１２０の外観を示している。該携帯電話機１２０には、表示装置２１とボタン類２２とが備えられている。図８は、携帯電話機の電気的構成を示すブロック図である。該携帯電話機１２０には、表示器２１、ボタン類２２、パネルＧＡ（Gate Array）４１、スピーカ７２、マイクロホン７４、ＲＴＣ（Real Time Clock）４９、ＲＯＭ５０、ＲＡＭ５１、ＥＥＰＲＯＭ５２、通信制御装置７０などが備えられている。
【００４２】
この第２実施形態のＣＰＵ５７によるメールアドレスの変更指示、及び、変更処理は、図４及び図５を参照して上述した第１実施形態と同様であるため説明を省略する。尚、Ｓ６８の最大サイズの桁数は１１桁数である。
【００４３】
なお、第１実施形態は、Ｌモード対応の各種通信機器１１の一例としてＬモード対応ファクシミリに具体化したものを示し、第２実施形態では、Ｉモード対応の各種通信機器の一例としてＩモード対応の携帯電話機を示した。しかし、電子メールを使用可能であれば、どのような通信機器（例えば、Ｌモード対応電話機）へ適用することもできる。
【００４４】
尚、上述した［特許請求の範囲］および［課題を解決するための手段および発明の効果］に記載した構成要素と、後述する［発明の実施の形態］に記載した構成部材との対応関係は以下のようになっている。「数字アドレス判断手段」はＳ１８での処理に対応し、「アドレス変更指示手段」はＳ２０での処理に対応する。一方、「アルファベットアドレス判断手段」はＳ７４での判断に対応し、「第２アドレス変更指示手段」はＳ７８での処理に相当する。また、「保持手段」はＲＯＭ５０に対応し、「非推奨アドレス判断手段」はＳ７６での処理に対応し、「第３アドレス変更指示手段」はＳ７８での処理に対応する。
【００４５】
「プログラム」は、ＣＰＵ５７が実行する図４、図５に示すフローチャートの処理に該当する。「記録媒体」は、ＲＯＭ５０に該当する。
【図面の簡単な説明】
【図１】ＮＴＴが提供するＬモードにおける通信システムの概略構成を示すブロック図。
【図２】本発明の第１実施形態に係るＬモード対応ファクシミリの本体の外観を示す平面図。
【図３】Ｌモード対応ファクシミリの本体の電気的構成を示すブロック回路図。
【図４】本体に備えられたＣＰＵが実行する主な制御処理の流れを示すフローチャート。
【図５】本体に備えられたＣＰＵが実行する主な制御処理の流れを示すフローチャート。
【図６】（Ａ）は表示器に表示される選択画像を示す説明図、（Ｂ）は表示器に表示される警告画像を示す説明図、（Ｃ）は表示器に表示される再入力警告画像を示す説明図。
【図７】本発明を第２実施形態に係るＩモード対応携帯電話機の外観を示す平面図。
【図８】Ｉモード対応携帯電話機の電気的構成を示すブロック回路図
【符号の説明】
１０…Ｌモードにおける通信システム
１１…Ｌモード対応の各種通信機器
１５…公衆電話回線
１６…Ｌモードゲートウェイ
２０…Ｌモード対応ファクシミリの本体
２１…表示器
２２…ボタン類
４１…パネルＧＡ
４２…モータ
４３…サーマルヘッド
４６…ＡＦＥ
５０…ＲＯＭ
５１…ＲＡＭ
５２…ＥＥＰＲＯＭ
５４…クロスポイントスイッチ
５６…ＮＣＵ
５７…ＣＰＵ
５８…記録回路
６０…ＦＡＸ・データモデム
１２０…携帯電話機
【図１】
0003669318.tif 000002
【図２】
0003669318.tif 000003
【図３】
0003669318.tif 000004
【図４】
0003669318.tif 000005
【図５】
0003669318.tif 000006
【図６】
0003669318.tif 000007
【図７】
0003669318.tif 000008
【図８】
0003669318.tif 000009